(57)【要約】【課題】  水分の基板への滴下を防止でき、しかも電装品（発熱部品）を冷却するための空気通路の確保が可能な電装品箱を提供する。【解決手段】  空気調和機の室外機２に使用される電装品箱である。電装品Ｓが装着された基板１０を収納する箱本体１１を備える。箱本体１１の上方開口部を、内外カバー１５、１６からなる２重構造のカバー部材１２にて覆う。内カバー１５は透明プラスチックからなる。カバー部材１２に箱本体１１内部の電装品Ｓを冷却するための空気通路２３を設け、空気侵入口２５からの空気を空気通路２３に流入させるようにした。【選択図】    図１
2006194584.tif 000002
【特許請求の範囲】
【請求項１】
空気調和機の室外機（２）に使用される電装品箱であって、電装品（Ｓ）が装着された基板（１０）を収納する箱本体（１１）を備え、この箱本体（１１）の上方開口部を、内外カバー（１５）（１６）からなる２重構造のカバー部材（１２）にて覆うことを特徴とする電装品箱。
【請求項２】
上記カバー部材（１２）の内カバー（１５）が透明プラスチックからなることを特徴とする請求項１の電装品箱。
【請求項３】
上記カバー部材（１２）の内カバー（１５）の垂下周壁（２１）が、上記箱本体（１１）の立上周壁（１４）の内側に配置されると共に、上記カバー部材（１２）の外カバー（１６）の垂下周壁（１８）が、上記箱本体（１１）の立上周壁（１４）の外側に配置されることを特徴とする請求項１又は請求項２の電装品箱。
【請求項４】
上記カバー部材（１２）にハーネス引出部（３０）を設けたことを特徴とする請求項１〜請求項３のいずれかの電装品箱。
【発明の詳細な説明】
【技術分野】
【０００１】
この発明は、電装品箱に関するものである。
【背景技術】
【０００２】
空気調和機は、一般には室外機と室内機とを備える。そして、室外機には図７に示すような電装品箱５１が配置され、この電装品箱５１に各種の電装品５２・・が実装された基板５４が収納されている。ところで、室外機は室外に設置されるので、室外機ケーシング５３に設けられる開口部等を介して雨水や霧等がこの室外機ケーシング５３に侵入して、その水分が基板５４上に滴下したり、さらには、冬場における積雪による内部結露水がこの基板５４上に滴下したりするおそれがある。水分が基板５４上に滴下すれば、電装品を傷めることになり、そのため、従来では、電装品箱５１の上方開口部をカバー５５にて覆うようにしていた（例えば、特許文献１参照。）。
【特許文献１】特許第３０７５０９９号明細書（第２−４頁、図１、図２）
【発明の開示】
【発明が解決しようとする課題】
【０００３】
ところが、上記したように、電装品箱５１には各種の電装品５２・・が収納されており、これら電装品５２のなかには発熱部品もある。そのため、電装品箱５１の上方開口部をカバー５５にて覆えば、電装品箱５１内がいわゆる密閉状体となって、発熱部品（電子部品）は発熱して温度が次第に上昇していく。このため、電子部品が、損壊したり、電子部品としての本来の機能を発揮できなくなったりして、この空気調和機が正常に駆動しなくなるおそれがあった。
【０００４】
そこで、従来では、電装品箱５１に冷却用の空気を流入させるために、カバー５５に開口部を設けたりしていた。しかしながら、カバー５５に開口部を設ければ、雨水等がこの開口部を介して電装品箱５１に侵入することになって、バー５５の使用が無意味になっていた。
【０００５】
また、水分の基板５４への滴下が生じた場合に、この滴下した水分を基板５４の半田面等に付着させないために、基板５４を防水コーティングする場合もあった。しかし、防水コーティングを行えばコスト高となっていた。
【０００６】
この発明は、上記従来の欠点を解決するためになされたものであって、その目的は、水分の基板への滴下等を防止でき、しかも電装品（発熱部品）を冷却するための空気通路の確保が可能な電装品箱を提供することにある。
【課題を解決するための手段】
【０００７】
そこで請求項１の電装品箱は、空気調和機の室外機２に使用される電装品箱であって、電装品Ｓが装着された基板１０を収納する箱本体１１を備え、この箱本体１１の上方開口部を、内外カバー１５、１６からなる２重構造のカバー部材１２にて覆うことを特徴としている。
【０００８】
上記請求項１の電装品箱では、カバー部材１２が内外カバー１５、１６からなる２重構造であるので、雨水や霧の侵入による水分の基板１０上への滴下や、冬場における積雪による結露水の基板１０上への滴下を有効に防止することができる。これによって、基板１０上の電装品Ｓを有効に保護することができ、しかも基板１０に滴下する水分が半田面等に浸透しないように行う防水コーティング等を省略することができる。また、冷却用空気をこの電装品箱に導入するために、切欠き部等を各内外カバー１５、１６に設けたとしても、その切欠き位置を内外カバー１５、１６で相違させることができる。これによって、カバー部材１２の雨水や霧の侵入による水分の基板１０上への滴下等を防止する機能（防滴性）が損なわれることがない。
【０００９】
請求項２の電装品箱は、上記カバー部材１２の内カバー１５が透明プラスチックからなることを特徴としている。
【００１０】
上記請求項２の電装品箱では、カバー部材１２の内カバー１５が透明であるので、外カバー１６を外せば、内カバー１５を装着したまま、基板１０上の電装品Ｓ等を観察することができる。
【００１１】
請求項３の電装品箱は、上記カバー部材１２の内カバー１５の垂下周壁２１が、上記箱本体１１の立上周壁１４の内側に配置されると共に、上記カバー部材１２の外カバー１６の垂下周壁１８が、上記箱本体１１の立上周壁１４の外側に配置されることを特徴としている。
【００１２】
上記請求項３の電装品箱では、カバー部材１２の内カバー１５の垂下周壁２１が、上記箱本体１１の立上周壁１４の内側に配置されると共に、上記カバー部材１２の外カバー１６の垂下周壁１８が、上記箱本体１１の立上周壁１４の外側に配置されるので、上記箱本体１１の立上周壁１４は、内外カバー１５、１６の垂下周壁２１、１８にて挟まれた状態となる。このため、外カバー１６の垂下周壁１８と、箱本体１１の立上周壁１４との間の隙間からミスト（液体微粒子）が侵入したとしても、このミストは、内外カバー１５、１６間に侵入することになって、箱本体１１内部に侵入しにくいものとなっている。
【００１３】
請求項４の電装品箱は、上記カバー部材１２にハーネス引出部３０を設けたことを特徴としている。
【００１４】
上記請求項４の電装品箱では、カバー部材１２にハーネス引出部３０を設けているので、ハーネス２７の極度の湾曲や引き回し配線を回避することができる。
【００１５】
上記電装品箱においては、上記箱本体１１の立上周壁１４に空気侵入口２５を設けると共に、上記カバー部材１２に上記箱本体１１内部の電装品Ｓを冷却するための空気通路２３を設け、上記空気侵入口２５からの空気を上記空気通路２３に流入させるように構成することもある。
【００１６】
上記電装品箱では、箱本体１１の立上周壁１４の空気侵入口２５に侵入した空気は、空気通路２３に流入するので、この流入した空気にて上記箱本体１１内部の電装品Ｓを冷却することができる。このため、電装品の損壊や誤動作を防止でき、この空気調和機は長期にわたって安定した運転を行うことができる。
【発明の効果】
【００１７】
請求項１の電装品箱によれば、カバー部材が内外カバーからなる２重構造であるので、雨水や霧の侵入による水分の基板上への滴下や、冬場における積雪による結露水の基板上への滴下を有効に防止することができる。これによって、基板上の電装品の損壊を防止して、この電装品箱が使用される空気調和機を長期にわたって安定して運転することができる。このため、基板に滴下する水分が半田面等に浸透しないように行う防水コーティング等を省略することができ、組立て作業性の向上を図れる。しかも、２重構造のカバー部材を使用したことによってコスト高となっても、防水コーティング分のコストの低減を図れ、この低減で相殺することができる。また、冷却用空気をこの電装品箱に導入するために、切欠き部等を各内外カバーに設けたとしても、その切欠き位置を内外カバーで相違させることができる。これによって、カバー部材の雨水や霧の侵入による水分の基板上への滴下等を防止する機能（防滴性）は損なわれることがない。そのため、電装品の保護を有効に達成することができる。
【００１８】
請求項２の電装品箱によれば、カバー部材の内カバーが透明であるので、外カバーを外せば、内カバーを装着したまま、基板上の電装品を観察することができる。このため、カバー部材が２重構造であっても、ハーネス（電線）の接続状態（コネクタ外れ等）や、故障表示灯の表示状況を観察することができ、保守点検を容易に行うことができる。
【００１９】
請求項３の電装品箱によれば、外カバーの垂下周壁と、箱本体の立上周壁との間の隙間からミスト（液体微粒子）が侵入したとしても、このミストは、内外カバー間に侵入することになって、箱本体内部に侵入しにくいものとなっている。このため、電装品を有効に保護することができる。
【００２０】
請求項４の電装品箱によれば、カバー部材にハーネス引出部を設けているので、ハーネスの極度の湾曲や引き回し配線を回避することができる。このため、電線の短縮化（短ハーネス化）を達成でき、ノイズ発生を防止することができる。
【発明を実施するための最良の形態】
【００２１】
この発明の端子盤の具体的な実施の形態について、図面を参照しつつ詳細に説明する。図１は電装品箱の簡略斜視図である。この電装品箱１は、空気調和機の室外機２に使用される。空気調和機は、図６に示すように、上記室外機２と、室内機３とを備え、冷暖房運転等を行うものである。
【００２２】
すなわち、室外機２は、圧縮機５と、四路弁６と、室外熱交換器７と、膨張弁８等を備え、これらが図１に示すように室外機ケーシング９に収納されている。なお、図１においては図面の簡略化のために、室外熱交換器７のみを図示している。また、室内機３は室内熱交換器４等を備え、この場合も室内熱交換器４等が図示省略の室内機ケーシングに収納されている。このため、例えば、冷房運転を行うには、四路弁６を図６の実線で示す状態に切換えて圧縮機５を駆動させる。この圧縮機５の駆動にて、冷媒が、圧縮機５から順次四路弁６、室外熱交換器７、膨張弁８、室内熱交換器４、四路弁６へと流れて圧縮機５へ返流する。これによって、室外熱交換器７が凝縮器として機能すると共に、室内熱交換器４が蒸発器として機能して、冷房運転が行われる。また、暖房運転を行うには、四路弁６を図６の破線で示す状態に切換えて圧縮機５を駆動させる。この圧縮機５の駆動にて、冷媒が、圧縮機５から順次四路弁６、室内熱交換器４、膨張弁８、室外熱交換器７、四路弁６へと流れて圧縮機５へ返流する。これによって、室内熱交換器４が凝縮器として機能すると共に、室外熱交換器７が蒸発器として機能して、暖房運転が行われる。
【００２３】
図１に示すように、上記電装品箱１は室外機ケーシング９内に配置され、各種の電装品Ｓ・・が実装される基板（プリント基板）１０が収納されている。この場合、電装品箱１は基板１０が収納される箱本体１１を備え、この箱本体１１にカバー部材１２が被せられる。箱本体１１は、底壁１３と、この底壁１３の外周縁から立設される立上周壁１４とを有する上方開口状の箱体からなるものであって、この上方開口部が上記カバー部材１２にて覆われる。
【００２４】
また、カバー部材１２は箱本体１１内への雨水等の侵入を防止する防滴用であり、内外カバー１５、１６の２重構造からなる。外カバー１６は、上壁１７と、この上壁１７の外周縁から垂下される垂下周壁１８とからなり、図２に示すように、箱本体１１に装着された際には、垂下周壁１８が箱本体１１の立上周壁１４の外側に配置される。内カバー１５は、上壁２０と、この上壁２０の外周縁から垂下される垂下周壁２１とからなり、箱本体１１に装着された際には、垂下周壁２１が箱本体１１の立上周壁１４の内側に配置される。
【００２５】
ところで、図１に示すように、内カバー１５の垂下周壁２１には切欠き部２２・・が設けられ、この切欠き部２２・・によって、箱本体１１内部の電装品Ｓ・・を冷却するための空気通路２３を形成している。すなわち、この図１に示す内カバー１５においては、２個の切欠き部２２ａ、２２ｂが形成され、例えば、一方の切欠き部２２ａを空気通路２３の入口とすれば、他方の切欠き部２２ｂが空気通路２３の出口となる。そして、箱本体１１の立上周壁１４にも切欠き部２４、２４が設けられ、上記一方の切欠き部２２ａに対応する一方の切欠き部２４が空気侵入口２５を構成し、上記他方の切欠き部２２ｂに対応する他方の切欠き部２４が空気流出口２６を構成する。
【００２６】
また、内カバー１５は例えばＰＶＣ（ポリ塩化ビニル）等の透明プラスチックからなる。このＰＶＣは、耐水性、難燃性、及び耐候性等に優れる。このように、内カバー１５を透明プラスチックとすることにより、外カバー１６が外された状態で、内カバー１５の外部から箱本体１１の基板１０及びこの基板１０に装着（実装）された電装品Ｓ・・を観察することができる。なお、外カバー１６としては、耐水性等に優れた各種のプラスチックや金属を使用することができ、透明であっても、不透明であってもよい。また、内外カバー１５、１６は、箱本体１１に装着された際には、例えば図示省略の係止手段（例えば、係止爪と、この係止爪が係脱自在に係止する係止用凸部等からなる）にて箱本体１１に係止された状態に維持されるのが好ましいが、このような係止手段を設けることなく単に嵌合されるものであってもよい。
【００２７】
ところで、基板１０のコネクタにはハーネス（電線）２７（図３参照）が配線（接続）されるので、上記カバー部材１２にハーネス引出部３０が形成される。すなわち、図３に示すように、箱本体１１の立上周壁１４の内面の一部に、底部３１と立上部３２とからなる断面Ｌ字状の受片３３を設けると共に、これに対応して立上周壁１４に開口部３４を設ける。すなわち、このハーネス引出部３０では、立上周壁１４の開口部３４に受片３３の立上部３２が対面している。この場合、立上周壁１４の開口部３４からハーネス２７が箱本体１１に挿入され、受片３３にて一旦受けられて、そのコネクタが基板１０上のコネクタに接続される。
【００２８】
上記電装品箱によれば、カバー部材１２の内カバー１５の垂下周壁２１が、上記箱本体１１の立上周壁１４の内側に配置されると共に、上記カバー部材１２の外カバー１６の垂下周壁１８が、上記箱本体１１の立上周壁１４の外側に配置されるので、上記箱本体１１の立上周壁１４は、内外カバー１５、１６の垂下周壁２１、１８にて挟まれた状態となる。このため、外カバー１６の垂下周壁１８と、箱本体１１の立上周壁１４との間の隙間からミスト（液体微粒子）が侵入したとしても、このミストは、内外カバー１５、１６間に侵入することになって、箱本体１１内部、つまり基板１０側に侵入しにくいものとなっている。また、カバー部材１２の内カバー１５が透明であるので、外カバー１６を外せば、内カバー１５を装着したまま、基板１０上の電装品を観察することができる。このため、カバー部材１２が２重構造であっても、ハーネス（電線）２７の接続状態（コネクタ外れ等）や、故障表示灯２８の表示状況を観察することができ、保守点検を容易に行うことができる。なお、上記故障表示灯２８とは、運転異常等のなんらかの異常状態が発生した場合に点灯するものであって、上記基板１０上に設けられ、この故障表示灯２８の点灯によって異常状態（故障状態）を検知することができる。また、上記実施の形態では、内カバー１５をＰＶＣから構成しているので、可塑剤等の調節により硬質〜軟質まで自由に設定でき、これによって、強度、剛性も変更することができ、このカバー部材１２に最適な材質のものを簡単に形成することができる。しかも、ＰＶＣはリサイクル可能であって、資源節約の面において優れる。
【００２９】
さらに、カバー部材１２にハーネス引出部３０を設けているので、ハーネス２７の極度の湾曲や引き回し配線を回避することができる。しかも、このハーネス引出部３０では、立上周壁１４の開口部３４に受片３３の立上部３２が対面しているので、立上周壁１４に開口部３４からミスト等が侵入したとしても、この立上部３２及び底部３１にてこのミスト等が受けられ、箱本体１１内に侵入しない。さらに、箱本体１１の立上周壁１４の空気侵入口２５に侵入した空気は、空気通路２３に流入するので、上記箱本体１１内部の電装品Ｓを冷却することができる。これによって、電装品Ｓ（発熱部品）を冷却することができて、この電装品Ｓの損壊や誤動作を防止でき、この空気調和機は長期にわたって安定した運転を行うことができる。しかも、カバー部材１２が内外カバー１５、１６からなる２重構造であるので、冷却用空気をこの電装品箱に導入するために、切欠き部等を各内外カバー１５、１６に設けたとしても、その切欠き位置を内外カバー１５、１６で相違させることができる。これによって、カバー部材１２の雨水や霧の侵入による水分の基板１０上への滴下等を防止する機能（防滴性）は損なわれることがない。
【００３０】
次に図４と図５は他の実施の形態を示し、この場合、箱本体１１の立上周壁１４の一部にスリット状の複数の貫孔３５・・を設け、この貫孔３５・・をもって空気侵入口２５としている。また、これに対応して、内カバー１５の垂下周壁２１の一部に後退させた後退壁部３６を形成し、これによって、貫孔３５・・の開口方向と略直交する方向に開口する開口部３７を形成している。なお、各貫孔３５・・の上方開口縁には風導入ガイド部３９が設けられている。この風導入ガイド部３９にて、図４の矢印Ａのように、各貫孔３５・・には下方向から風が導入される。
【００３１】
そして、空気侵入口２５からの空気は、後退壁部３６と箱本体１１の立上周壁１４とで構成される空間部３８に侵入した後、その方向を変換して開口部３７から箱本体１１の内部に侵入する。すなわち、空気侵入口２５からの空気は、下方から侵入して一旦後退壁部３６に当った後、箱本体１１の内部に侵入するので、空気が直接的に箱本体１１の内部に侵入せず、基板１０上への水分の滴下を防止することができる。この場合も、この内カバー１５を透明プラスチックとすれば、基板１０上の故障表示灯２８をこの内カバー１５を介して観察することができる。
【００３２】
以上にこの発明の具体的な実施の形態について説明したが、この発明は上記形態に限定されるものではなく、この発明の範囲内で種々変更して実施することができる。例えば、内カバー１５の材質として、ＰＶＣ（ポリ塩化ビニル）以外の各種の透明プラスチックにて構成することができるが、耐水性等に優れ、かつリサイクル可能なものとするのが好ましい。また、空気通路２３を形成するための内カバー１５の切欠き部２２の切欠き形状、大きさ、数等を任意に変更することができるが、雨水等が箱本体１１内にこの空気通路２３を介して侵入せずそのため水分が基板１０上に滴下しないものである必要がある。
【図面の簡単な説明】
【００３３】
【図１】この発明の電装品箱の実施形態を示す簡略斜視図である。
【図２】上記電装品箱の要部簡略断面図である。
【図３】上記電装品箱の他の要部簡略断面図である。
【図４】この発明の電装品箱の他の実施形態を示す要部斜視図である。
【図５】上記電装品箱の要部平面図である。
【図６】上記電装品箱を使用した空気調和機の簡略図である。
【図７】従来の電装品箱の簡略斜視図である。
【符号の説明】
【００３４】
２  室外機
１０  基板
１１  箱本体
１２  カバー部材
１４  立上周壁
１５  内カバー
１６  外カバー
１８  垂下周壁
２１  垂下周壁
２３  空気通路
２５  空気侵入口
３０  ハーネス引出部
Ｓ  電装品
【図１】
2006194584.tif 000003
【図２】
2006194584.tif 000004
【図３】
2006194584.tif 000005
【図４】
2006194584.tif 000006
【図５】
2006194584.tif 000007
【図６】
2006194584.tif 000008
【図７】
2006194584.tif 000009